(57)【要約】【課題】  吸引手段が排液等を吸い込む等の問題点を生じることなく、安定的に使用することができる吸引用貯留器を提供することを目的とする。【解決手段】    排液を吸引して集液するための吸引用貯留器１であって、排液を貯留する貯留容器１０と、排液を貯留容器１０に導入する排液側接続部材２０と、貯留容器１０から気体を排出する吸引側接続部材３０と、を備え、吸引側接続部材３０は、気体を吸引するための吸気口３２、３６を各々が備えた吸引側内管３１及び吸引側外管３４を有し、吸引側外管３４の吸気口３６から吸引側内管３１の吸気口３２への吸気経路が形成される吸引用貯留器１である。【選択図】  図１
2006288648.tif 000002
【特許請求の範囲】
【請求項１】
排液を吸引して集液するための吸引用貯留器であって、
排液を貯留する貯留容器と、排液を前記貯留容器に導入する排液側接続部材と、前記貯留容器から気体を排出する吸引側接続部材と、を備え、
前記吸引側接続部材は、気体を吸引するための吸気口を各々が備えた吸引側内管及び吸引側外管を有し、吸引側外管の吸気口から吸引側内管の吸気口への吸気経路が形成される吸引用貯留器。
【請求項２】
請求項１記載の吸引用貯留器において、吸引側外管の吸気口を、吸引側内管の吸気口よりも上方に設けたことを特徴とする吸引用貯留器。
【請求項３】
請求項１又は２記載の吸引用貯留器において、貯留容器に集液された排液の液面が上昇した際に、吸引側内管の吸気口からの吸引を利用して前記吸気口を閉塞するフロートを設けたことを特徴とする吸引用貯留器。
【請求項４】
請求項３記載の吸引用貯留器において、吸引側外管に排液が流入する液流入口を設け、吸引側外管の内部に排液の流入に伴い上昇するフロートを設けたことを特徴とする吸引用貯留器。
【請求項５】
請求項４記載の吸引用貯留器において、吸引側外管の液流入口を吸引側内管の吸気口よりも下方に設けたことを特徴とする吸引用貯留器。
【請求項６】
請求項４又は５記載の吸引用貯留器において、フロートの側面に凸部又は凹部を設けたことを特徴とする吸引用貯留器。
【請求項７】
請求項４〜６のいずれか記載の吸引用貯留器において、フロートの下面であって吸引側外管と接触する部分に凸部又は凹部を設けたことを特徴とする吸引用貯留器。
【請求項８】
請求項３〜７のいずれか記載の吸引用貯留器において、フロートに、吸気口と接触する部分にパッキンを設けたことを特徴とする吸引用貯留器。
【請求項９】
請求項３〜８のいずれか記載の吸引用貯留器において、フロートに、吸引側内管の吸気口からの吸引を促進するための吸引促進部材を設けたことを特徴とする吸引用貯留器。
【請求項１０】
請求項１〜９のいずれか記載の吸引用貯留器において、吸引側外管の下部に、貯留容器に集液した排液の液面を安定させる波除部材を設けたことを特徴とする吸引用貯留器。
【請求項１１】
請求項１〜１０のいずれか記載の吸引用貯留器において、排液側接続部材は、液体を排出するための排液口を各々が備えた排液側内管及び排液側外管を有し、前記排液側内管及び前記排液側外管に囲まれる空間には吸引の衝撃を低減する排液側吸引一次室が形成され、排液側内管の排液口から前記排液側吸引一次室を介して排液側外管の排液口への液体の排出経路が形成される吸引用貯留器。
【請求項１２】
請求項１１記載の吸引用貯留器において、排液側内管及び排液側外管が気体を排出するための排気口を備え、排液側内管の排気口から排液側外管の排気口への気体の排出経路が形成されることを特徴とする吸引用貯留器。
【請求項１３】
請求項１２記載の吸引用貯留器において、排液側外管の排気口を排液側内管の排液口よりも上方に設けたことを特徴とする吸引用貯留器。
【請求項１４】
請求項１１〜１３のいずれか記載の吸引用貯留器において、排液側内管又は排液側外管の内部に排液の排出を妨げる抵抗部材を設けたことを特徴とする吸引用貯留器。
【請求項１５】
排液を吸引して集液するための吸引用貯留器であって、
排液を貯留する貯留容器と、排液を前記貯留容器に導入する排液側接続部材と、前記貯留容器から気体を排出する吸引側接続部材と、を備え、
排液側接続部材は、排液を排出するための排液口を各々が備えた排液側内管及び排液側外管を有し、前記排液側内管及び前記排液側外管に囲まれる空間には吸引の衝撃を低減する排液側吸引一次室が形成され、排液側内管の排液口から前記排液側吸引一次室を介して排液側外管の排液口への液体の排出経路が形成される吸引用貯留器。
【請求項１６】
請求項１５記載の吸引用貯留器において、排液側内管及び排液側外管が気体を排出するための排気口を備え、排液側内管の排気口から排液側外管の排気口への気体の排出経路が形成されることを特徴とする吸引用貯留器。
【請求項１７】
請求項１６記載の吸引用貯留器において、排液側排液側外管の排気口を排液側排液側内管の排液口よりも上方に設けたことを特徴とする吸引用貯留器。
【請求項１８】
請求項１５〜１７のいずれか記載の吸引用貯留器において、排液側内管又は排液側外管の内部に排液の排出を妨げる抵抗部材を設けたことを特徴とする吸引用貯留器。
【発明の詳細な説明】
【技術分野】
【０００１】
本発明は、医療用及びその他の吸引用貯留器に関するものである。
【背景技術】
【０００２】
従来、病院等の医療機関においては、手術等により生じた創腔、あるいは口腔、咽喉又は鼻腔等の患部から排出される血液、浸出液、分泌物等の排液を取り除くために、吸引ポンプを使用した吸引用貯留器が使用されている。
【０００３】
吸引用貯留器としては、例えば（特許文献１）に示すものが知られている。（特許文献１）に示す吸引用貯留器は、貯留容器に、排液が流入する排液口と、吸引ポンプ等に吸引装置に接続される吸引口とが設けられ、吸引口には排液が吸引装置に逆流しないように排液逆流防止弁が設けられている。
【０００４】
しかしながら、上述のような吸引用貯留器は、排液逆流防止弁が設けられているものの防止効果は十分ではなく、吸引ポンプが排液を吸い込んでしまい故障してしまう等の問題点があった。
【０００５】
具体的には、貯留容器内では吸引する際に衝撃が与えられるため、排液がミキシングして飛散するために、飛散した液体飛沫を同時に吸い込む場合があった。また、貯留容器の排液量が一定量を超えオーバーフローとなった際に、排液逆流防止弁の効果が弱いため、気体と同時に液体を吸い込むことがあった。
【０００６】
【特許文献１】実開平２−３７６５１号公報
【発明の開示】
【発明が解決しようとする課題】
【０００７】
本発明は、上記従来の状況に鑑み、吸引手段が排液等を吸い込む等の問題点を生じることなく、安定的に使用することができる吸引用貯留器を提供することを目的とする。
【課題を解決するための手段】
【０００８】
上記課題を解決するため、本発明の吸引用貯留器は、請求項１として、排液を吸引して集液するための吸引用貯留器であって、排液を貯留する貯留容器と、排液を前記貯留容器に導入する排液側接続部材と、前記貯留容器から気体を排出する吸引側接続部材と、を備え、前記吸引側接続部材は、気体を吸引するための吸気口を各々が備えた吸引側内管及び吸引側外管を有し、吸引側外管の吸気口から吸引側内管の吸気口への吸気経路が形成されることを特徴とする。
【０００９】
上記構成によれば、貯留容器内の気体は、吸引側外管の吸気口を介して、吸引側内管の吸気口へと吸引されるため、貯留容器内で飛散した排液の液体飛沫等を吸引手段へ吸い込むことを防止することができる。
【００１０】
また、請求項２は、請求項１記載の吸引用貯留器において、吸引側外管の吸気口を、吸引側内管の吸気口よりも上方に設けたことを特徴とする。
【００１１】
上記構成によれば、吸引側外管の吸気口を吸引側内管の吸気口よりも上方に設けているので、飛散した排液の液体飛沫等の吸引手段への吸い込みをより確実に防止することができる。
【００１２】
また、請求項３は、請求項１又は２記載の吸引用貯留器において、貯留容器に集液された排液の液面が上昇した際に、吸引側内管の吸気口からの吸引を利用して前記吸気口を閉塞するフロートバルブを設けたことを特徴とする。
【００１３】
上記構成によれば、貯留容器に集液された排液の量が増大し、液面が所定水位まで上昇した場合に、フロートバルブが吸引側内管の吸気口を閉塞するので、排液の吸引を停止することができる。
【００１４】
また、請求項４は、請求項３記載の吸引用貯留器において、吸引側外管に排液が流入する液流入口を設け、吸引側外管の内部に排液の流入に伴い上昇するフロートバルブを設けたことを特徴とする。
【００１５】
上記構成によれば、液流入口から排液が流入するのに従ってフロートバルブが上昇し、吸引側内管の吸気口を閉塞するので、貯留容器に集液された排液の液面が上昇した際に自動的に排液の吸引を停止することが可能となる。
【００１６】
また、請求項５は、請求項４記載の吸引用貯留器において、吸引側外管の液流入口を吸引側内管の吸気口よりも下方に設けたことを特徴とする。
【００１７】
上記構成によれば、吸引側外管の液流入口を吸引側内管の吸気口よりも下方に設けたので、液流入口より流入した排液を吸引側内管の吸気口から吸い込むことを防止することができる。
【００１８】
また、請求項６は、請求項４又は５記載の吸引用貯留器において、フロートバルブの側面に凸部又は凹部を設けたことを特徴とする。
【００１９】
上記構成によれば、フロートバルブの側面に凸部又は凹部が設けられているので、吸引側外管とフロートバルブとの間の空隙を毛細管現象により排液が上昇することがない。
【００２０】
また、請求項７は、請求項４〜６のいずれか記載の吸引用貯留器において、フロートバルブの下面であって吸引側外管と接触する部分に凸部又は凹部を設けたことを特徴とする。
【００２１】
上記構成によれば、フロートバルブの下面と吸引側外管と接触面積が減少し、相互間に働く表面張力が減少するので、フロートバルブが滑らかに移動できるようになる。
【００２２】
また、請求項８は、請求項３〜７のいずれか記載の吸引用貯留器において、フロートバルブに、吸気口と接触する部分にパッキンを設けたことを特徴とする。
【００２３】
上記構成によれば、フロートバルブが吸引側内管の吸気口を閉塞する際に密着するので、排液の吸引を確実に停止することができる。
【００２４】
また、請求項９は、請求項３〜８のいずれか記載の吸引用貯留器において、フロートバルブに、吸引側内管の吸気口からの吸引を促進するための吸引促進部材を設けたことを特徴とする。
【００２５】
上記構成によれば、フロートバルブは、吸引側内管の吸気口から吸引が促進されるため、吸気口をより迅速に閉塞することが可能となる。
【００２６】
また、請求項１０は、請求項１〜９のいずれか記載の吸引用貯留器において、吸引側外管の下部に、貯留容器に集液した排液の液面を安定させるための波除部材を設けたことを特徴とする。
【００２７】
上記構成によれば、貯留容器に集液した排液の液面が安定するので、貯留容器内での液体の飛散を減少させることができる。
【００２８】
また、請求項１１は、請求項１〜１０のいずれか記載の吸引用貯留器において、排液側接続部材は、液体を排出するための排液口を各々が備えた排液側内管及び排液側外管を有し、前記排液側内管及び前記排液側外管に囲まれる空間には吸引の衝撃を低減する排液側吸引一次室が形成され、排液側内管の排液口から前記排液側吸引一次室を介して排液側外管の排液口への液体の排出経路が形成されることを特徴とする。
【００２９】
上記構成によれば、吸引された排液が排液側吸引一次室に導入され、その後に排液側外管の排液口から排出されるので、吸引の際の衝撃が低減される。
【００３０】
また、請求項１２は、請求項１１記載の吸引用貯留器において、排液側内管及び排液側外管が気体を排出するための排気口を備え、排液側内管の排気口から排液側外管の排気口への気体の排出経路が形成されることを特徴とする。
【００３１】
上記構成によれば、排液側接続部材に排液口とは別に排気口が設けられているので、排液を吸引する際の衝撃が低下し貯留容器内での液体の飛散が減少する。
【００３２】
また、請求項１３は、請求項１２記載の吸引用貯留器において、排液側外管の排気口を排液側内管の排液口よりも上方に設けたことを特徴とする。
【００３３】
上記構成によれば、排液側外管の排気口を排液側内管の排液口よりも上方に設けたので、排液と、吸引の際に排液と同時に吸い込んだ気体との分離が促進される。
【００３４】
また、請求項１４は、請求項１１〜１３のいずれか記載の吸引用貯留器において、排液側内管又は排液側外管の内部に排液の排出を妨げる抵抗部材を設けたことを特徴とする。
【００３５】
上記構成によれば、排液の排出が抵抗部材により妨げらるので、排液を吸引する際に貯留容器内の液面に与える衝撃が低下する。
【００３６】
さらに、本発明は、請求項１５として、排液を吸引して集液するための吸引用貯留器であって、排液を貯留する貯留容器と、排液を前記貯留容器に導入する排液側接続部材と、前記貯留容器から気体を排出する吸引側接続部材と、を備え、排液側接続部材は、排液を排出するための排液口を各々が備えた排液側内管及び排液側外管を有し、前記排液側内管及び前記排液側外管に囲まれる空間には吸引の衝撃を低減する排液側吸引一次室が形成され、排液側内管の排液口から前記排液側吸引一次室を介して排液側外管の排液口への液体の排出経路が形成されることを特徴とする。
【００３７】
上記構成によれば、吸引された排液が排液側吸引一次室に導入され、その後に排液側外管の排液口から排出されるので、吸引の際の衝撃が低減される。
【００３８】
また、請求項１６は、請求項１５記載の吸引用貯留器において、排液側内管及び排液側外管が気体を排出するための排気口を備え、排液側内管の排気口から排液側外管の排気口への気体の排出経路が形成されることを特徴とする。
【００３９】
上記構成によれば、排液側接続部材に排液口とは別に排気口が設けられているので、排液を吸引する際の衝撃が低下し貯留容器内での液体の飛散が減少する。
【００４０】
また、請求項１７は、請求項１６記載の吸引用貯留器において、排液側排液側外管の排気口を排液側排液側内管の排液口よりも上方に設けたことを特徴とする。
【００４１】
上記構成によれば、排液側外管の排気口を排液側内管の排液口よりも上方に設けたので、排液と、吸引の際に排液と同時に吸い込んだ気体との分離が促進される。
【００４２】
また、請求項１８は、請求項１５〜１７のいずれか記載の吸引用貯留器において、排液側内管又は排液側外管の内部に排液の排出を妨げる抵抗部材を設けたことを特徴とする。
【００４３】
上記構成によれば、排液の排出が抵抗部材により妨げらるので、排液を吸引する際に貯留容器内の液面に与える衝撃が低下する。
【発明の効果】
【００４４】
本発明の吸引用貯留器によれば、吸引手段が排液等を吸い込む等の問題点を生じることなく、安定的に使用することが可能となる。また、排液を貯留容器に導入する際に生じる液体のミキシング効果が減少し、排液が貯留容器内で飛散することを防止できる。
【発明を実施するための最良の形態】
【００４５】
以下、本発明を実施するための最良の形態について詳細に説明する。まず、実施の形態（１）に係る吸引用貯留器を図１〜４に基づいて説明する。図１は、本発明の実施の形態に係る吸引用貯留器を示す断面図である。
【００４６】
実施の形態に係る吸引装置１は、図１に示すように、排液Ａを吸引して集液するための吸引用貯留器１であって、排液Ａを貯留する貯留容器１０と、排液Ａを貯留容器１０に導入する排液側接続部材２０と、貯留容器１０と吸引手段とを接続し、貯留容器１０から気体を排出する吸引側接続部材３０と、を備える。
【００４７】
貯留容器１０は、排液を回収して貯留しておくためのもので、貯留容器１０の蓋１１には、後述する排液側接続部材２０と吸引側接続部材３０を取付けるための接続部材取付孔１２、１３が設けられている。接続部材取付孔１２、１３は、各接続部材２０、３０を取付けた際に、漏れが生じることがないように各々にパッキン１４、１５を備える。
【００４８】
また、貯留容器１０には、複数の吸引用貯留器を連動して用いる場合に他の吸引用貯留器に接続するための、予備取付孔１７が設けられている。そして、単独で用いる場合には、予備取付孔１７は栓部材１８により密閉されている。なお、予備取付孔１７にも、接続部材取付孔１２、１３と同様にパッキン１６が設けられている。
【００４９】
排液側接続部材２０は、図２に示すように、排液Ａを貯留容器１０に導入するためのものであって、貯留容器１０の蓋１１を連通して設けられる排液側内管２１と、排液側内管２１の外側に設けられる排液側外管２５とを備える。そして、排液側内管２１と排液側外管２５とに囲まれる排液側吸引一次室２００が形成される。
【００５０】
排液側内管２１は円筒形状をしており、貯留容器１０の外部に突出した上端部２１１の排液導入口２２には、チューブ等が取付けられ排液Ａが導入される。そして、導入された排液Ａは、排液側内管２１の下端部２１３の底面に設けられた排液口２３から主に排出される。また、吸引の際には、排液Ａと一緒に気体Ｂを吸い込むことがある。排液側内管２１の本筒２１２の側面には、排液Ａと同時に吸引された気体Ｂを主に排出するための排気口２４が設けられている。なお、排気口２４は、排液Ａと気体Ｂの分離の観点から排液口２３の上方に設けられていることが好ましい。
【００５１】
排液側外管２５は、上端の蓋部２５１に排液側内管２１を取付けるための取付孔２６が設けられている。排液側内管２１から排出された排液Ａは、排液側外管２５の下端部２５３の排液口２７を介して貯留容器１０内に排出される。排液口２７は本筒１５２の内径よりも管径が小さく形成されており、排液側外管２５と排液側内管２１とに囲まれた空間には、吸引の衝撃を低減する排液側吸引一次室２００が形成される。これにより、排液Ａを吸引する際に貯留容器１０内の排液液面に与える衝撃は低減されるとともに、吸引の際の排液吸引量の脈動を低減することができる。さらに、外管２５の内部には、排液Ａの排出速度を減少させるための抵抗部材２９が管内を横切るようにして設けられている。抵抗部材２９により排液Ａの排出が抵抗を受けるので、排液Ａと気体Ｂとの分離がより促進されるとともに、吸引する際に貯留容器１０内の排液液面に与える衝撃が低下する。また、排液側外管２５の本筒２５２の側面には、排液側内管２１と同様に排気口２８が設けられており、排気口２４から排気口２８への気体Ｂの排出経路が形成され、排気口２４から排出された気体Ｂを貯留容器１０内に排出する。なお、排気口２８は、排液Ａと気体Ｂの分離の観点から排液口２７の上方に設けられていることが好ましく、さらには排液側内管２１の排液口２３の上方に設けられていることが特に好ましい。
【００５２】
以上の排液側接続部材２０において、吸引された排液Ａ及び気体Ｂは、まず排液導入口２２から排液側内管２１に導入される。そして、排液Ａと気体Ｂは、それぞれ排液側内管２１に設けられた排液口２３と排気口２４とに分離されて排液側吸引一次室２００に排出される。続いて、排液口２３から排出された排液Ａは、排液側外管２５の排液口２７を介して貯留容器１０内に排出される。この際、吸引手段の吸引による減圧は、排液側吸引一次室２００及び貯留容器１０内において段階的に行なわれるため、吸引の際に貯留容器１０内の排液液面に与える衝撃が低減される。また、排気口２４から排出された気体Ｂは、排液側外管２５と排液側内管との間の隙間を通って、排液側外管２５の排気口２８から貯留容器１０内に排出される。この際、排液Ａと気体Ｂは、排液側外管２５に設けられた排液口２７及び排気口２８によりさらに分離される。
【００５３】
吸引側接続部材３０は、図３に示すように、貯留容器１０と吸引手段とを接続するためのものであって、貯留容器１０の蓋１１を連通して設けられる吸引側内管３１と、吸引側内管３１の外側に設けられる吸引側外管３４とを備える。そして、吸引側接続部材３０には吸引側内管３１と吸引側外管３４とに囲まれる吸引側吸引一次室３００が形成される。さらに、吸引側外管３４の内部には、貯留容器１０内に排液Ａの液面が上昇した際に、吸引側内管３１の吸気口３２からの吸引により吸気口３８を閉塞するフロートバルブ４０が設けられている。
【００５４】
吸引側内管３１は、円筒形状をしており、下端部３１２の底面に設けられた吸気口３２から気体Ｂが吸引される。また、貯留容器１０の外部に突出した上端部３１１の吸気導出口３３には、吸引手段と接続するためのチューブ等が取付けられる。
【００５５】
吸引側外管３４は、上端の蓋部３４１に吸引側内管３１を取付けるための取付孔３５が設けられている。また、吸引側外管３４２の上部側面には、貯留容器１０内の気体Ｂを主に吸引するための吸気口３６が設けられている。吸気口３６は、吸引側内管３１の吸気口３２より上方に設けられており、吸気口３２からの液体飛沫の吸い込みが防止される。さらに、吸引側外管３４の下端部３４３の側面には、貯留容器１０に集液された排液Ａの液面が上昇した際に排液Ａが流入する液流入口３７が設けられている。液流入口３７が側面に設けられているため、内部のフロートバルブ４０は排液Ａの液面の乱れによる影響を直接受けることがない。なお、排液Ａを気体Ｂと一緒に吸い込んでしまうことがないように、吸気口３２及び吸気口３６は液流入口３７の上方に離間して設けられている。
【００５６】
また、吸引側外管３４の下端３４２の底面には、蓋部として波除部材３８が設けられている。波除部材３８は、貯留容器１０に集液した排液の液面を安定させるもので、特に吸引側外管３４の液流入口３４付近の排液Ａの液面の乱れを減少させる。波除部材３８としては、吸引側外管３４の外径よりも大きい面積のものが用いられる。
【００５７】
さらに、吸引側外管３４の内部には、吸引側内管３１の吸気口３２の下方位置にフロートバルブ４０を備える。フロートバルブ４０は、図４に示すように、内部が中空である筒体４３を備え、筒体４３の上端部と下端部には、それぞれ上蓋４２と下蓋４４とが設けられている。内部が中空である筒体４３を用いるので、フロートバルブ４０は十分な浮力を有し、排液Ａの液面とフロートバルブ４０の上蓋との間の高低差を大きくとることができる。なお、筒体４３は、中空となっているため、フロートバルブ４０の重心あるいは浮力を調整するためのウエイトバランス部材を内部に設けることができる。
【００５８】
下蓋４４は、吸引側外管３４の内径よりも小さな直径を有している。下蓋４４と吸引側外管３４との間のクリアランスとしては、フロートバルブ４０が液面の水位変動に従って移動する際に過度の抵抗が生じることがないようなクリアランスであることが好ましい。また、下蓋４４の直径は、フロートバルブ４０の側面に凸部４４１が形成されるように、筒体４３の外径よりも大きな直径であることが好ましい。凸部４４１により筒体４３との間に段差が生じるため、排液Ａはフロートバルブ４０と吸引側外管３４との隙間を毛細管現象により上昇することがない。
【００５９】
上蓋４２は、フロートバルブ４０の側面に凸部４２１を形成するように、下蓋４４と同様の直径を有している。凸部４２１が設けられることで、フロートバルブ４０は大きく傾くことがなく、向きが安定する。さらには、排液Ａの毛細管現象による上昇を減少させる効果がある。
【００６０】
また、フロートバルブ４０の上蓋４２には、吸引側内管３１の吸気口３２と対向する面にパッキン４１が設けられている。パッキン４１としては、軟質性のものが用いられ、フロートバルブ４０と吸気口３２との間の密閉性が向上する。
【００６１】
また、フロートバルブ４０の上蓋４２には、吸気口３２からのフロートバルブ４０の吸引を促進するための吸引促進部材４６が設けられている。吸引促進部材４６は、内径が吸引側内管３１の外径よりも大きい円筒形状のもので、下端部の底面が上蓋４２に固定されている。フロートバルブ４０が排液Ａの液面の上昇に伴い吸気口３２に接近すると、吸気口３２からの吸引は吸引促進部材４０の内部空間に集中される。その結果、フロートバルブ４０を吸引する吸引力が増大し、吸気口３２の閉塞が速やかに行なわれる。このため、排液Ａの液面が低い位置で吸引の停止を行うことができる。
【００６２】
また、フロートバルブ４０の下蓋４４には、吸引側外管３４の波除部材３８と対向する面に凸部４５が設けられている。凸部４５は、フロートバルブ４０と波除部材３８との接触面積を減少させるためのもので、フロートバルブ４０と波除部材３８との間に排液Ａが流入した際に、フロートバルブ４０の動きが表面張力による抵抗を受けることなく、液面の水位変動に対する追従性が向上する。なお、凸部４５の数、形状、大きさは適宜設定することが可能である。
【００６３】
以上の吸引側接続部材３０において、貯留容器１０内に吸引された気体Ｂは、吸引側外管３４の吸気口３６から吸引側吸引一次室３００に吸引される。続いて、気体Ｂは、吸引側外管３４と吸引側内管３１との隙間を通って、吸引側内管３１の吸気口３２から吸引される。そして、吸気口３２から吸引された気体Ｂは、吸気導出口３３を通じて吸引手段により吸引される。この際、吸気口３６と吸気口３２との間に直線的な吸気経路が形成されないので、排液Ａの液体飛沫の吸い込みが防止される。また、吸気口３２は、液流入口３７の上方に離間して設けられているので、排液Ａの液面が上昇した際にも排液Ａを吸い込むことがない。
【００６４】
次に、吸引により集液された排液Ａの液面が上昇し、吸引側外管３４の下端部３４３まで達すると、排液Ａは液流入口３７から吸引側外管３４の内部に流入する。この際、波除部材３８により、排液Ａの液面の乱れが防止される。そして、排液Ａが吸引側外管３４の内部に流入すると、フロートバルブ４０は排液Ａの流入に従って上昇する。この際、フロートバルブ４０は、十分な浮力を有しており排液Ａの液面とフロートバルブ４０の上端との間の高低差が大きくなるので、吸引の際に排液Ａを吸い込むことがない。
【００６５】
続いて、フロートバルブ４０が一定の高さまで上昇すると、吸引側外管３４とフロートバルブ４０とで囲まれる容積が減少し、吸引側吸引一次室３００における吸気口３２からの吸引力が上昇する。その結果、フロートバルブ４０は、図３（ｂ）に示すように、吸引側内管３１の吸気口３２からの吸引力を受けて吸気口３２を閉塞する。この際、吸引促進部材４６を設けることで、排液Ａの液面が低い位置で吸気口３２の閉塞を行うことができる。吸気口３２が閉塞されると、貯留容器１０の内部と吸引手段との吸気経路が遮断され、排液Ａの吸引が停止する。
【００６６】
なお、上記実施の形態（１）では、排液側内管２１、排液側外管２５、吸引側内管３１、及び吸引側外管３４として、円筒形状のものを用いているが、円筒形状に限定されるものではなく、中空の多角形状のものなど種々の形状を用いることができる。
【００６７】
また、上記実施の形態（１）では、排液側外管２５の蓋部２５１に設けられた取付孔２６に排液側内管２１を取付けているが、排液側内管２１を貯留容器１０の蓋１１に直接固定することも可能である。この場合、蓋部２５１は必要なく、排液側外管２５の本筒２５２を蓋部１１に直接固定することができる。
【００６８】
また、上記実施の形態（１）では、外管２５の内部に抵抗部材２９を設けたが、内管２１の内部に抵抗部材を設けることも可能である。また、抵抗部材の形状は、球状、板状、スクリュー状等の種々の形状を選択することができる。
【００６９】
さらに、上記実施の形態（１）では、フロートバルブ４０の下面に凸部を設けることで、波除部材３８とフロートバルブ４０との間の接触面積を少なくしているが、波除部材３８の上面に凸部又は凹部を設けることも可能である。
【図面の簡単な説明】
【００７０】
【図１】本発明の実施の形態に係る吸入装置を示す断面図である。
【図２】本発明の実施の形態に係る排液側接続部材を示す断面図である。
【図３】（ａ）本発明の実施の形態に係る吸引側接続部材を示す断面図である。（ｂ）本発明の実施の形態に係る吸引側接続部材の吸引が停止した状態を示す断面図である。
【図４】本発明の実施の形態に係るフロートバルブバルブを示す断面図である。
【符号の説明】
【００７１】
１                  吸引用貯留器
１０                貯留容器
１１、１２          接続部材取付孔
１３、１４、１５    パッキン
１６                予備取付孔
１７                栓部材
２０                排液側接続部材
２１                排液側内管
２２                排液導入口
２３                排液口
２４                排気口
２５                排液側外管
２６                内管取付孔
２７                排液口
２８                排気口
２９                抵抗部材
３０                吸引側接続部材
３１                吸引側内管
３２                吸気口
３３                吸気導出口
３４                吸引側外管
３５                内管取付孔
３６                吸気口
３７                液流入口
３８                波除部材
４０                フロートバルブ
４１                パッキン
４２                上蓋
４２１              凸部
４３                筒体
４４                下蓋
４４１              凸部
４５                突部
４６                吸引促進部材
【図１】
2006288648.tif 000003
【図２】
2006288648.tif 000004
【図３】
2006288648.tif 000005
【図４】
2006288648.tif 000006